(57)【要約】      （修正有）【課題】専門知識を要することなく少人数でも短時間で解体でき、ベルトを上方向に引き抜くことが可能な食品用コンベア装置を提供する。【解決手段】コンベア装置本体２と、外部電源により駆動する電動モータ３と、ベルト４と、先端ローラー５と、末端ローラー６と、ランナー材と、駆動ローラー８と、アイドラードラム９とからなり、前記先端ローラーおよび前記末端ローラーが、それぞれの支持部とともに上方向へ取出し自在に設けられ、前記コンベア装置本体の上面に１または複数のランナー材が取り外し可能に敷設され、前記駆動ローラーが、把持部を有し、上方向へ取出し自在に設けられてなる。【選択図】図１
0003142073.tif 000002
【実用新案登録請求の範囲】
【請求項１】
コンベア装置本体と、外部電源により駆動する電動モータと、ベルトと、先端ローラーと、末端ローラーと、ランナー材と、駆動ローラーと、アイドラードラムとからなり、
前記電動モータを介して前記ベルトに回転トルクが伝達されることにより駆動するコンベア装置であって、
前記先端ローラー、末端ローラー、駆動ローラーおよびアイドラードラムが、前記ベルトの進行方向に対して交差するように枠体に軸支され、
前記ベルトが、前記先端ローラーと、前記末端ローラーと、前記駆動ローラーと、前記アイドラードラムとによって張設され、かつ前記コンベア装置本体に取り外し可能に敷設された１または複数のランナー材に支持され、
前記先端ローラーが、前記コンベア装置本体の長尺方向の一端に回動自在に軸支されたセンターローラー固定部により回転自在に保持され、
前記末端ローラーが、前記コンベア装置本体の長尺方向の他端に回動自在に軸支された末端ローラー固定部により回転自在に保持され、
前記駆動ローラーが、大径部と、大径部の一端に設けられた継合部と、把持部とからなり、
該継合部が、前記モータ部に設けられた駆動ギアと噛み合い、
前記把持部が、前記コンベア装置本体に設けられた溝に嵌入されたのち、固定ブラケットにより保持されてなる食品用コンベア装置。
【請求項２】
前記ランナー材が、ランナー材固定用ナットにより固定されてなる、請求項１記載の食品用コンベア装置。
【請求項３】
前記コンベア装置本体の上面に１または複数の溝が設けられ、当該溝に、前記ベルト上に載置される物品の落下を防止するための１または複数のコンベアガイドが挿着されてなる請求項１または２記載の食品用コンベア装置。
【請求項４】
前記枠体が、少なくとも先端ローラー固定部と末端ローラー固定部と、軸支部分とを備えてなる請求項１〜３のいずれか１項に記載の食品用コンベア装置。
【考案の詳細な説明】
【技術分野】
【０００１】
本考案は食品用コンベア装置（以下、コンベア装置という）に関する。さらに詳しくは、専門知識を要することなく少人数でも短時間で解体でき、ベルトを上方向に引き抜くことが可能なコンベア装置に関する。
【背景技術】
【０００２】
従来、図６（ａ）〜（ｃ）に示されるように、小型のコンベア装置２９において、コンベア装置２９の長尺側両端もしくは一端のローラー部３０を、支持部３１を介して立ち上げることでベルト３２に撓みを生じさせたのち、横方向にベルト３２を引き出すことによりベルト交換が可能なものが知られている。これらは、横方向（Ａ２方向）にスライドすることによりベルト３２を引き出すため、交換時は、コンベア装置２９の長尺の側面のうち、一方のみを支えた状態（いわゆる片受け状態）で交換作業が行われ、この作業は少人数で簡便に行えるという利点がある。
【考案の開示】
【考案が解決しようとする課題】
【０００３】
しかし、大型のコンベア装置の場合、かかる片受け状態とするには、頑丈かつ複雑に構成されたコンベア装置本体の種々の部位を取り外して行う必要があり、取り外したとしても、片受け状態という不安定な状態で作業が行われるため、危険を伴い、日常の業務において容易に少人数でかかる作業が行えるものではなく、専門知識を有する者がメンテナンスする必要がある。また、使用の頻度にもよるが、ベルト交換以外にも種々の消耗部品（たとえば駆動ローラーやスクレーパーなど）を交換する際に、その都度メンテナンスを受ける必要がある。さらに、かかるメンテナンスは、長時間（少なくとも１〜２時間）を要し、日常の生産業務等をすべて止める必要も生じるという問題がある。
【０００４】
そして、交換部品が消耗したか否かに関係なく、ベルトを始めとする部品は、その日の使用を終えたあと、管理衛生面から必ず洗浄しなければならない。上記のように、従来の大型のコンベア装置は、ベルトを容易に着脱できないため、ベルトを装着したまま洗浄しなければならず、細かな部分まで充分に洗浄することが困難である。その結果、部分的な洗い残しが生じ、ぬめり等が残ったままになるという問題がある。かかる状態では、雑菌の繁殖を促し、衛生管理面で問題がある。
【０００５】
本考案は、上記従来の装置の問題点に鑑みてなされたものであり、専門知識を要することなく少人数でも短時間で解体でき、ベルトを上方向に引き抜くことが可能なコンベア装置を提供することを目的とする。
【課題を解決するための手段】
【０００６】
本考案のコンベア装置は、コンベア装置本体と、外部電源により駆動する電動モータと、ベルトと、先端ローラーと、末端ローラーと、ランナー材と、駆動ローラーと、アイドラードラムとからなり、
前記電動モータを介して前記ベルトに回転トルクが伝達されることにより駆動するコンベア装置であって、
前記先端ローラー、末端ローラー、駆動ローラーおよびアイドラードラムが、前記ベルトの進行方向に対して交差するように枠体に軸支され、
前記ベルトが、前記先端ローラーと、前記末端ローラーと、前記駆動ローラーと、前記アイドラードラムとによって張設され、かつ前記枠体に取り外し可能に敷設された１または複数のランナー材に支持され、
前記先端ローラーが、前記コンベア装置本体の長尺方向の一端に回動自在に軸支されたセンターローラー固定部により回転自在に保持され、
前記末端ローラーが、前記コンベア装置本体の長尺方向の他端に回動自在に軸支された末端ローラー固定部により回転自在に保持され、
前記駆動ローラーが、大径部と、大径部の一端に設けられた継合部と、把持部とからなり、
該継合部が、前記モータ部に設けられた駆動ギアと噛み合い、
前記把持部が、前記コンベア装置本体に設けられた溝に嵌入されたのち、固定ブラケットにより保持されてなることを特徴とする。
【０００７】
また、前記ランナー材が、ランナー材固定用ナットにより固定されてなることが好ましい。
【０００８】
前記コンベア装置本体の上面に１または複数の溝が設けられ、当該溝に、前記ベルト上に載置される物品の落下を防止するための１または複数のコンベアガイドが挿着されてなることが好ましい。
【０００９】
前記枠体が、少なくとも先端ローラー固定部と末端ローラー固定部と、軸支部分とを備えてなることが好ましい。
【考案の効果】
【００１０】
本考案のコンベア装置によれば、専門知識を要することなく少人数でも短時間で解体でき、ベルト周りの部品を容易に取り外すことができ、ベルトを上方向に引き抜くことが可能なコンベア装置を提供することができる。これにより、ベルトを始めとする部品（たとえばローラーやパン）などを取り外して洗浄することができ、従来は不充分であった種々の部位の洗浄を確実に行うことができ、雑菌の繁殖を抑え、衛生管理面を改善、向上させることができる。
【考案を実施するための最良の形態】
【００１１】
本考案の実施の形態にかかわるコンベア装置について、添付図面に沿って、以下に詳細に説明する。
【００１２】
図１は、本考案のコンベア装置の一実施形態における側面説明図である。図２は、本考案のコンベア装置の一実施形態における上面図である。図３は、本考案のコンベア装置の一実施形態における側面図である。図４は、本考案のコンベア装置の一実施形態における先端ローラーおよびランナー材の着脱を説明するための説明図である。図５は、本考案のコンベア装置の駆動ローラーを固定するブラケットの動作を説明するための説明図である。図６は、従来のコンベア装置を説明するための説明図であり、図６（ａ）は従来のコンベア装置の斜視図、図６（ｂ）は、従来のコンベア装置の上面図、図６（ｃ）は、従来のコンベア装置の側面図である。
【００１３】
実施の形態１
図１〜３に示されるように、本実施の形態にかかわるコンベア装置１は、コンベア装置本体２と、外部電源により駆動する電動モータ３と、ベルト４と、先端ローラー５と、末端ローラー６と、ランナー材７と、駆動ローラー８と、アイドラードラム９とからなる。
【００１４】
また、コンベア装置本体２は、枠体２ａ、後述するコンベアガイド、先端ローラーを固定する固定部などのすべての部品を含む概念であり、枠体２ａは、それらの部品を除く、装置の骨組を表す概念である。
【００１５】
図１、図２に示されるように、コンベア装置本体２の上面に設けられた溝１０に、１または複数のコンベアガイド１１が嵌着されている（図２では左右３枚ずつ、計６枚の場合を例示）。コンベアガイド１１は、コンベア装置１の駆動時にベルト４上を載置され、ベルト４の進行に伴って搬送される物品がベルト４から落下することがないよう設けられている。
【００１６】
電動モータ３には、図３に示されるように、駆動ギア１２が内蔵されており、電動モータ３の駆動により回転トルクが駆動ギア１２を介して、前記駆動ローラー８の継合部１３に伝えられる。前記ベルト４は、駆動ローラー８、先端ローラー５、末端ローラー６、アイドラードラム９により張設かつ周着されているため、電動モータ３の駆動により、駆動ローラー８の回転を介して関係するすべてのローラーが回転し、ベルト４が連動して駆動する。これにより、ベルト４上に置かれた種々の物品をベルト４進行方向へ移動させることができる。
【００１７】
また、ベルト４は、切れ目無く環状に（endless）形成されているため、張設された状態では、どの方向にも不意に外れることが無い。
【００１８】
先端ローラー５および末端ローラー６は、コンベア装置１の両側端部にそれぞれ設けられたローラーであり、ベルト４の折返し位置でのテンションを維持することができる。先端ローラー５は、ベルト４上を移動する物品の終点となり、先端ローラー５を越えた位置で、物品は落下する。
【００１９】
なお、ベルト４上にぬめりのある物品を移動させる場合（たとえば炊飯後の穀類等を、梱包や秤量のために移動させる場合）、使用によりベルト４にぬめり等が付着することがある。ぬめり等が付着したまま、先端ローラー５側でそれらが付着したまま落下することなく、ベルト４が進行した場合、アイドラードラム９や駆動ローラー８等の他の部品に付着し、故障や誤動作、雑菌の発生の原因となることがある。そのため、図１に示されるように、先端ローラー５の折返し位置に、ぬめりを取るためのスクレーパー１４を設けることもできる（図１参照）。スクレーパー１４の先端部は、ベルト４と近接または当接しており、折返し位置で落下しなかった物品を確実に落下させ、またはぬめりを除去することができる。
【００２０】
前記ベルト４の材質および形状、移動させる物品の性状にもよるが、前述のように炊飯後の穀類を搬出する場合にあっては、ベルト４の裏側にぬめりが付着することもある。そのため、図３に示されるように、ベルト４の裏面に近接または当接するようにスクレーパー１５を設けることもできる。かかるスクレーパー１５により除去されたぬめり等は、スクレーパー１５の下位置に配設されたダストパン１６に落下させることができる。なお、図３に示されるように、ダストパン１６に傾斜を持たせて配設した場合、ダストパン１６に溜まった不要物を、ダストパン受け１７に受けることができる。ダストパン１６とダストパン受け１７は、コンベア装置本体２に掛止されているため、容易に取り外すことができる。
【００２１】
先端ローラー５および末端ローラー６は、図４に示されるように（図４では先端ローラー５の場合を例示）、ベルト交換時にベルト４を撓ませることができるよう、先端ローラー５を回転自在に保持する先端ローラー固定部１８が、コンベア装置本体２に軸支されている。図４（ａ）に示されるように、ベルト４の張設時には先端ローラー固定部１８は、コンベア装置本体２に対して水平方向（ベルト４と同方向）に倒された状態である。ベルト交換時には、図４（ｂ）に示されるように、先端ローラー固定部１８をコンベア装置本体２に対して直角となる位置まで起立させる。先端ローラー固定部１８を起立させることにより、ベルト４に撓みを生じさせることができる。なお、前記先端ローラー固定部１８は、軸支部分１９により回動自在に軸支されているが、かかる軸支部分１９は、簡単な工具を使用することにより、容易に取り外すことができ、先端ローラー固定部１８そのものをコンベア装置本体２から取り外すことができる。なお、末端ローラー６についても同様の機構を有しており、末端ローラー固定部２０を介してコンベア装置本体２に軸支されている。その機構は先端ローラー５の場合と同じであるため、説明は省略する。
【００２２】
ランナー材７は、図４に示されるように、コンベア装置本体２の上面に形成された溝２１に嵌着されている。そして、これらランナー材７は、前記溝２１に嵌着されたのち、ランナー材固定用ナット２２によって確実に固定されている。
【００２３】
次に、ランナー材７の取り外しについて説明する。図４（ｃ）、図４（ｄ）に示されるように、先端ローラー固定部１８を起立させることにより、ベルト４に撓みを生じさせた後、ランナー材固定用ナット２２を緩めることにより、ランナー材７を、単に溝２１に嵌着された状態とすることができる。その後は上方向に引き抜くことによりランナー材７を取り外すことができる。
【００２４】
図３、図５に示されるように、駆動ローラー８は、大径部２３と、大径部２３の一端に設けられた継合部１３と、把持部２４とからなる。把持部２４は、駆動ローラー８の両端に設けられている。把持部２４は、円形断面形状であり、その中心部は貫通孔２５が設けられている。図５（ａ）に示されるように、貫通孔２５には、取出しパイプ２６を挿入することができる。取出しパイプ２６は、駆動ローラー８の幅よりも長く形成されているため、両端部が駆動ローラー８の貫通孔２５からはみ出ることとなる。図５（ｂ）に示されるように、固定ボルト２７を緩め、固定ブラケット２８を外した後、前記取出しパイプ２６のうち、貫通孔２５からはみ出した部分を把持し、上方向（Ａ１方向）へ取り出すことができる。
【００２５】
本実施の形態のコンベア装置１は、たとえば特許第３１７２５１９号公報に開示される装置と連結して使用することにより、蒸煮された穀類を、効率よく搬出、移動させることができる。この場合、当該装置に要洗米を投入したときから、秤量、梱包に至るまで、すべての工程を全自動かつ最小限の人員（たとえば１人）で行うことができ、生産コストを大幅に改善することができる。なお、当該装置以外であっても、異なった炊飯装置により蒸煮した穀類を直接投入してもよい。
【００２６】
そして、本実施の形態のコンベア装置は、ベルトの着脱に際し、関連するすべての部品を容易に着脱することができるため、大型機であるにも関わらず、専門知識を必要とせず、短時間で容易に少人数でベルト交換が可能である。その際、ベルト周りの部品も容易に取り外すことができるため、ベルトを始めとする部品（たとえばローラーやパン）などを取り外して洗浄することができ、従来は不充分であった種々の部位の洗浄を確実に行うことができ、雑菌の繁殖を抑え、衛生管理面を改善、向上させることができる。
【００２７】
なお、容易に交換できる部品はベルトに限らず、前述のように駆動ローラーや先端ローラー等も容易に着脱できるため、これら消耗部品についても容易に交換、あるいは日々のメンテナンスが可能である。
【００２８】
一般に、従来の大型機のベルトを交換する作業は、専門知識を有するメンテナンス業者が交換作業を行った場合であっても、１〜２時間を要するものであるが、本考案のコンベア装置については、わずか５〜１０分で交換が可能である。これにより、業務の支障となることもなく、また、業務時間外に長時間のメンテナンスを受けることもない。さらに、急な消耗部品の交換を余儀なくされた際に、早急に対応することもできる。
【図面の簡単な説明】
【００２９】
【図１】本考案のコンベア装置の一実施形態における側面説明図である。
【図２】本考案のコンベア装置の一実施形態における上面図である。
【図３】考案のコンベア装置の一実施形態における側面図である。
【図４】本考案のコンベア装置の一実施形態における先端ローラーおよびランナー材の着脱を説明するための説明図である。
【図５】本考案のコンベア装置の駆動ローラーを固定するブラケットの動作を説明するための説明図である。
【図６（ａ）】従来のコンベア装置の斜視図である。
【図６（ｂ）】従来のコンベア装置の上面図である。
【図６（ｃ）】従来のコンベア装置の側面図である。
【符号の説明】
【００３０】
１、２９  （食品用）コンベア装置
２  コンベア装置本体
２ａ  枠体
３  電動モータ
４、３２  ベルト
５  先端ローラー
６  末端ローラー
７  ランナー材
８  駆動ローラー
９  アイドラードラム
１０、２１  溝
１１  コンベアガイド
１２  駆動ギア
１３  継合部
１４、１５  スクレーパー
１６  ダストパン
１７  ダストパン受け
１８  先端ローラー固定部
１９  軸支部分
２０  末端ローラー固定部
２２  ランナー材固定用ナット
２３  大径部
２４  把持部
２５  貫通孔
２６  取出しパイプ
２７  固定ボルト
２８  固定ブラケット
３０  ローラー部
３１  支持部
【図１】
0003142073.tif 000003
【図２】
0003142073.tif 000004
【図３】
0003142073.tif 000005
【図４】
0003142073.tif 000006
【図５】
0003142073.tif 000007
【図６（ａ）】
0003142073.tif 000008
【図６（ｂ）】
0003142073.tif 000009
【図６（ｃ）】
0003142073.tif 000010